(57)【要約】【課題】グラブ又はバックホウによる浚渫工事の際にカーテンがカーテン外部の水圧によって撓んでしぼんだ状態になることがなく、その結果グラブ又はバックホウがカーテンと接触してカーテンが破損したり、カーテンによって囲われた浚渫範囲が狭くなったりすることがない汚濁防止用カーテンを提供する。【解決手段】グラブ又はバックホウによる浚渫工事の際に水上に浮かせたフロート１によって浚渫工事区画を囲うように吊り下げられる汚濁防止用カーテン２に、水面から１ｍ以上離れた位置に開口部３を設けると共に、カーテン２内面で且つ開口部３の上方にその上端部のみが固定されていて開口部３の上方から開口部３を覆うように垂れ下げられた状態で設置されるカーテン状の蓋体で構成された内部に外部から海水又は水を流入させる一方弁を設ける。【選択図】図３
2010248861.tif 000002
【特許請求の範囲】
【請求項１】
グラブ又はバックホウによる浚渫工事の際に水上に浮かせたフロート(１)によって浚渫工事区画を囲うように吊り下げられる汚濁防止用カーテン(２)であって、該カーテン(２)には水面から１ｍ以上離れた位置に開口部(３)が設けられていると共に、該カーテン(２)内面で且つ該開口部(３)の上方にその上端部のみが固定されていて該開口部(３)の上方から該開口部(３)を覆うように垂れ下げられた状態で設置されるカーテン状の蓋体(４)で構成された内部に外部から海水又は水を流入させる一方弁が設けられていることを特徴とする一方弁付き汚濁防止用カーテン。
【請求項２】
開口部(３)が、上部カーテン(2a)の下端部と下部カーテン(2b)の上端部との間の複数のベルト(2c)で連結されている空間部である請求項１に記載の一方弁付き汚濁防止用カーテン。
【請求項３】
カーテン(２)の下端部に垂下ウエート(５)が取り付けられている請求項１又は２に記載の一方弁付き汚濁防止用カーテン。
【発明の詳細な説明】
【技術分野】
【０００１】
本発明は、グラブ又はバックホウによる浚渫工事の際に水上に浮かせたフロートによって浚渫工事区画を囲うように吊り下げられる汚濁防止用カーテンに関するものである。
【背景技術】
【０００２】
グラブを使用した浚渫工事では、浚渫船上からグラブを海底又は水底に下ろし、その海底又は水底の土砂や底泥を浚うことにより行われる。またバックホウを使用した浚渫工事では陸上又は作業船上に設置させたバックホウの油圧作動でバケットを下降させて土砂や底泥を浚うことにより行われる。このようなグラブ又はバックホウを使用した浚渫工事では土砂や底泥を浚う際に土砂や底泥が巻き上げられ周囲の海水や水が汚濁するため、その拡散を防止する必要がある。そこでこのような浚渫工事では浚渫工事区画を汚濁防止用カーテンで囲って汚濁水の拡散の防止を図っている（例えば、特許文献１参照。）。
【０００３】
またこのようなカーテンで囲われた浚渫工事区画で、グラブ又はバックホウを使用して浚渫すると、浚渫により取り除かれた土砂や底泥や水の体積だけカーテン内部の水位が一時的に下がり、カーテン外部の高い水圧によってカーテンがしぼんだ状態となり易い。その状態で浚渫工事を継続するとグラブ又はバックホウがカーテンに接触してカーテンが破損することがある。
【０００４】
このようにカーテンが破損すると、カーテン内の汚濁水がカーテン外部に流出するためにカーテンによる汚濁水の拡散防止効果が損なわれる。そのため浚渫工事を中止してカーテンの取り替え補修等の作業が必要となり、費用及び施工期間の面から非常に大きな負担となるのである。
【０００５】
一方、環状部材を上、下一対に設け、上環状部材にはフロートを取付け、これら上下の環状部材間に水底の所定領域から生じる濁水を囲んで拡散を防止する展張性のカーテンを連結した濁水拡散防止用カーテンがある（例えば、特許文献２参照。）。このように上下の環状部材間にカーテンを連結すれば、或る程度カーテンの形状を維持させることができる。しかしながら、環状部材の無い中間部ではカーテンはしぼみ易いため、グラブ又はバックホウがカーテンに接触してカーテンが破損することを十分に防止することは難しいのである。
【先行技術文献】
【特許文献】
【０００６】
【特許文献１】特開２００４−６８２６８号公報
【特許文献２】特開２００１−２６２５５３号公報
【発明の概要】
【発明が解決しようとする課題】
【０００７】
本発明は前記の問題に鑑み、グラブ又はバックホウによる浚渫工事の際にカーテンが外部の水圧によって撓んでしぼんだ状態になることがなく、その結果グラブ又はバックホウがカーテンと接触してカーテンが破損したり、カーテンによって囲われた浚渫範囲が狭くなったりすることがない汚濁防止用カーテンを提供することを課題とする。
【課題を解決するための手段】
【０００８】
本発明者らは前記課題を解決すべく鋭意検討を重ねた結果、グラブ又はバックホウによる浚渫工事の際に、水上に浮かせたフロートによって浚渫工事区画を囲うように吊り下げられる汚濁防止用カーテンに、水面から１ｍ以上離れた位置に開口部を設ければ、グラブ又はバックホウを使用して海底又は水底の土砂や底泥を浚渫する際に、カーテン内部の水位が一時的に下がっても、このカーテンに設けられた開口部を通して水圧の高いカーテンの外部から水圧の低いカーテンの内部へ向けて海水又は水を迅速に流入させることができるので、カーテンが外部の水圧によってしぼむことがなく、またカーテンの内部と外部とで水圧の差が無くなると、カーテンの内部の汚濁水が開口部を通してカーテンの外部へと流出する現象が発生することが考えられるが、カーテン内面で且つ開口部の上方にその上端部のみを固定して開口部の上方から開口部を覆うようにカーテン状の蓋体を垂れ下げるように設置すれば、カーテンの内部から汚濁水が外部へと流出しようとすると、カーテン状の蓋体によって開口部が塞がれ、カーテン状の蓋体が一方弁の役割をなすので、カーテンに開口部を設けてもカーテン本来の汚濁水の拡散防止効果を損なうことがないことを究明して本発明を完成させたのである。
【０００９】
即ち本発明は、グラブ又はバックホウによる浚渫工事の際に水上に浮かせたフロートによって浚渫工事区画を囲うように吊り下げられる汚濁防止用カーテンであって、カーテンには水面から１ｍ以上離れた位置に開口部が設けられていると共に、カーテン内面で且つ開口部の上方にその上端部のみが固定されていて開口部の上方から開口部を覆うように垂れ下げられた状態で設置されるカーテン状の蓋体で構成された内部に外部から海水又は水を流入させる一方弁が設けられていることを特徴とする一方弁付き汚濁防止用カーテンである。
【００１０】
また開口部を、上部カーテンの下端部と下部カーテンの上端部との間の複数のベルトで連結されている空間部とすれば、簡便にカーテンの全周に亘って開口部を形成させることができ、カーテン全周から海水又は水を流入させることによって、カーテンが局所的に撓んでグラブやバックホウがカーテンに接触してカーテンが破損するようなことがなくて好ましく、またカーテンの下端部に垂下ウエートを取り付ければ、カーテンが下方に引っ張られてカーテンを撓み難くすることができて好ましいのである。
【発明の効果】
【００１１】
本発明に係る一方弁付き汚濁防止用カーテンは、グラブ又はバックホウによる浚渫工事の際に水上に浮かせたフロートによって浚渫工事区画を囲うように吊り下げられる汚濁防止用カーテンであって、カーテンには水面から１ｍ以上離れた位置に開口部が設けられているから、グラブ又はバックホウを使用して海底又は水底の土砂や底泥を浚渫する際に、カーテンの内部の水位が一時的に下がっても、このカーテンに設けられた開口部を通して水圧の高いカーテンの外部から水圧の低いカーテンの内部へ向けて海水又は水を迅速に流入させることができるので、カーテンが外部の水圧によってしぼむことがなく、その結果グラブ又はバックホウがカーテンと接触してカーテンが破損したり、カーテンによって囲われた浚渫範囲が狭くなったりすることがなく、またカーテンの内部と外部とで水圧の差が無くなると、この開口部を通してカーテンの内部の汚濁水が外部へと流出する現象が発生することが考えられるが、カーテン内面で且つ開口部の上方にその上端部のみが固定されていて開口部の上方から開口部を覆うように垂れ下げられた状態で設置されるカーテン状の蓋体で構成された内部にのみ外部から海水又は水を流入させる一方弁が設けられているから、カーテンの内側から開口部を覆うように設置されたカーテン状の蓋体がカーテンの内部から汚濁水が外部へと流出しようとすると、開口部を塞ぐ一方弁となるので、カーテンに開口部を設けてもカーテン本来の汚濁水の拡散防止効果を損なうことがないのである。
【００１２】
また開口部が、上部カーテンの下端部と下部カーテンの上端部との間の複数のベルトで連結されている空間部である場合には、簡便にカーテンの全周に亘って開口部を形成させることができ、カーテン全周から海水又は水を流入させることによって、カーテンが局所的に撓んでグラブ，バックホウに接触して破損するようなことがなく、カーテンの下端部に垂下ウエートが取り付けられている場合には、カーテンが下方に引っ張られてカーテンを撓み難くすることができて好ましいのである。
【図面の簡単な説明】
【００１３】
【図１】本発明に係る一方弁付き汚濁防止用カーテンの一例を示す正面図である。
【図２】図１の一方弁付き汚濁防止用カーテンの背面図である。
【図３】図１の一方弁付き汚濁防止用カーテンが実際にグラブ浚渫工事に使用されている様子を示す説明図である。
【図４】一方弁であるカーテン状の蓋体とカーテンの開口部との関係を示す斜視説明図である。
【図５】従来の汚濁防止用カーテンを使用したグラブ浚渫工事において汚濁防止用カーテンがしぼんだ状態を示す説明図である。
【発明を実施するための形態】
【００１４】
以下、図面を用いて本発明に係る一方弁付き汚濁防止用カーテンについて詳細に説明する。
【００１５】
図面中、１は水上に浮かせたフロートであり、このフロート１に後述するカーテン２が吊り下げられることによって浚渫工事区画を囲うことができるのである。またフロート１は流されないように、アンカー等で固定したり、浚渫船に取り付けて固定したすることができる。
【００１６】
２は水上に浮かせたフロート１によって浚渫工事区画を囲うように吊り下げられる汚濁防止用カーテンである。このカーテン２としては、例えばポリエステルクロス等で成形されていると丈夫で耐水性が高くて好ましいが、必ずしもこの限りでない。
【００１７】
３はカーテン２の水面から１ｍ以上離れた位置に設けられている開口部である。このように開口部３を水面から離れた位置に設けるのは、波や風等による影響を受け難くするためである。
【００１８】
またこの開口部３が、上部カーテン2aの下端部と下部カーテン2bの上端部との間の複数のベルト2cで連結されている空間部である場合には、簡便にカーテン２の全周に亘って開口部３を形成させることができ、カーテン２の全周から海水又は水を均等に流入させることによって、カーテン２が局所的に撓んでグラブ又はバックホウがカーテン２に接触してカーテン２が破損するようなことがなくて好ましい。
【００１９】
４はカーテン２内面で且つ開口部３の上方にその上端部のみが固定されていて開口部３の上方から開口部３を覆うように垂れ下げられた状態で設置されるカーテン状の蓋体であり、この蓋体４はカーテン２の内部にカーテン２の外部から海水又は水を流入させる一方弁を構成している。
【００２０】
５はカーテン２の下端部に取り付けられている垂下ウエートである。この垂下ウエート５を取り付けることによって、カーテン２は下方に引っ張られカーテン２を撓み難くすることができるのである。またこの垂下ウエート５は図２の如くカーテンの下端部全周に亘って分散させた状態で取り付けられていると好ましい。
【００２１】
本発明に係る一方弁付き汚濁防止用カーテンは、カーテン２に開口部３が設けられている点と、この開口部３を覆うカーテン状の蓋体４で構成された一方弁が設けられている点とが大きな特徴となっている。
【００２２】
この開口部３の形状としては、特に限定はないが、開口部３が上下方向に長くなると、開口部３を覆うカーテン状の蓋体４も上下方向に長くなる。この場合、図４の如くカーテン状の蓋体４はその上端部が開口部３の上方のみに固定されていて、この上端部を中心として揺れ動くため、上下方向に長くなると、開口部３を覆う際のカーテン状の蓋体４の戻りが悪くなり、汚濁水が開口部３を通してカーテン２の外部へ拡散し易くなる。
【００２３】
そこで、開口部３の大きさを十分確保したい場合には、図１及び図２のように上下方向の長さは短くして、左右方向即ち周方向に多数形成させるとよい。またこのように周方向に多数の開口部３を形成させるには、上部カーテン2aの下端部と下部カーテン2bの上端部との間の複数のベルト2cで連結すれば、簡便にカーテン２の全周に亘って開口部３を形成させることができる。
【００２４】
またカーテン２によって囲まれた内部の容積などに応じて、更に多くの開口部３が必要な場合には、このようなカーテン２の全周に亘る開口部３を更に何段か上下方向に設ければよいのである。
【００２５】
次に本発明に係る一方弁付き汚濁防止用カーテンを実際に使用するには、グラブ又はバックホウで例えば海底を浚渫する場合、先ず浚渫を行いたい場所まで浚渫船を移動させてアンカーやスパッドで係留する。そしてフロート１を海上に浮かべ、フロート１にアンカーを取り付けて固定したり、フロート１を係留させた浚渫船に取り付けて固定する。
【００２６】
そしてカーテン２の上端部をフロート１に取り付け、カーテン２を海中へと落とし込めば、カーテン２はフロート１に吊り下げられた状態となるのである。
【００２７】
なおフロート１を海面に浮かべると、潮の満ち引きの影響を受けるため、カーテン２は大きく上下動し易い。そのためフロート１に吊り下げるカーテン２の下端が海底に達していると、カーテン２の下端が上下動して海底の土砂や底泥を巻き上げることがあるので、カーテン２の下端は海底に達しない位置であるとよい。その一方で、カーテン２の下端が海底から十分に離れていると、カーテン２の下端と海底との隙間から汚濁水が流失して拡散する場合がある。
【００２８】
これらのことから、潮の満ち引きの影響を受け易い海底を浚渫する場合には、カーテン２の下端をできるだけ海底に近い位置にすると共に、潮が引いた状態でもカーテン２の下端が海底に接しないように位置させるとよいのである。
【００２９】
また海底を浚渫する場合、カーテン２は潮流の影響も受け易いので、潮流によってカーテン２が撓んでグラブ又はバックホウに接触してカーテン２が破損することがある。そのためカーテン２を下方に引っ張ってカーテン２を撓み難くするために、カーテン２の下端部には垂下ウエート５を取り付けると好ましいのである。
【００３０】
このようにしてフロート１に本発明に係るカーテン２を設置した後に、図３の如く、グラブをウインチで吊り下げるか又はバックホウのバケットを油圧で下降させて、浚渫船上からカーテンで囲われた浚渫工事区画内の海底まで降ろし、海底でグラブ又はバックホウによって土砂や底泥を掬い上げて海面上へと引き上げるのである。
【００３１】
その際に、海底の土砂や底泥が海面上へと引き上げられると、カーテン２内部の水位が一時的に下がるため、例えば図５の従来図の如く、カーテン２外部の水圧によってカーテン２がしぼんだ状態となり易い。
【００３２】
しかしながら、本発明に係るカーテン２には開口部３を覆うようにカーテン状の蓋体４で構成された一方弁が設けられている開口部３が設けられているから、この開口部３を通して水圧の高いカーテン２の外部から水圧の低いカーテン２の内部へ向けて海水を迅速に流入させることができるので、カーテン２が外部の水圧によってしぼむことがない。
【００３３】
またカーテン２の内部と外部とで水圧の差が無くなると、この開口部３を通してカーテン２内部の汚濁水が外部へと流出する現象が発生することが考えられるが、カーテン２の内側には開口部３を覆うようにカーテン状の蓋体４が設けられているので、カーテン２の内部から汚濁水が外部へと流出しようとすると、この蓋体４が開口部３を塞ぐ一方弁となり、カーテン２の内部の汚濁水がカーテン２の外部へ流出して拡散するようなこともないのである。
【符号の説明】
【００３４】
１  フロート
２  カーテン
2a  上部カーテン
2b  下部カーテン
2c  ベルト
３  開口部
４  蓋体
５  垂下ウエート
【図１】
2010248861.tif 000003
【図２】
2010248861.tif 000004
【図３】
2010248861.tif 000005
【図４】
2010248861.tif 000006
【図５】
2010248861.tif 000007